(57)【要約】【課題】高ズーム比で明るいＦ値など高い光学仕様性能を有するズムレンズと、奥行きが極めて薄く高画質の写真を得ることができ且つ歪曲が少なく広画角の撮影が可能な電子撮像装置を提供すること。【解決手段】ズームレンズは、物体側から光路に沿って順に配置された、正の屈折力を有する第１レンズ群Ｇ１と、負の屈折力を有する移動レンズ群Ｇ２と、広角端から望遠端に変倍する際に短調に物体側に移動するレンズ群Ｇ３とを含み、少なくとも２面の非球面を有している。【選択図】図１
2004264585.tif 000002
【特許請求の範囲】
【請求項１】
物体側から光路に沿って順に配置された、正の屈折力を有する第１レンズ群Ｇ１と、負の屈折力を有する移動レンズ群Ｇ２と、広角端から望遠端に変倍する際に単調に物体側に移動するレンズ群Ｇ３とを含み、少なくとも２面の非球面を有するズームレンズ。
【請求項２】
前記第１レンズ群Ｇ１は、物体側から光路に沿って順に配置された、発散性を有する光学素子と正レンズとからなっている請求項１に記載のズームレンズ。
【請求項３】
前記移動レンズ群Ｇ２は、物体側から光路に沿って順に配置された、両凹レンズと正レンズとからなっている請求項１または２に記載のズームレンズ。
【請求項４】
前記レンズ群Ｇ３は、物体側から光路に沿って順に配置された、正の単レンズと、正レンズと像側に強い凹面を向けた負レンズの接合レンズとからなっている請求項１乃至３の何れかに記載のズームレンズ。
【発明の詳細な説明】
【０００１】
【発明の属する技術分野】
本発明は、奥行き方向の薄型化とズームレンズの広角化を実現したビデオカメラやデジタルカメラなど電子撮像装置に適するズームレンズに関する。
【０００２】
【従来の技術】
近年、銀塩３５ｍｍフィルム（１３５フォマット）カメラに代わる次世代カメラとして、デジタルカメラ（電子カメラ）が注目されてきている。更に、それは、業務用高機能タイプからポータブルな普及タイプまでの幅の広い範囲で、幾つものカテゴリーを有するようになってきている。そして、特にポータブルな普及タイプのカメラでは、奥行きが薄くて使い勝手が良いものが望まれるようになっている。加えて、高画質であり且つ広画角のものが望まれるようになって来ている。
【０００３】
カメラの奥行き方向を薄くするのに最大のネックとなっているのは、光学系の最も物体側の面から撮像面までの厚みである。特にズームレンズ系では、この厚みがネックになっている。そこで、最近におけるカメラボディ薄型化技術の主流は、沈胴式鏡筒を採用することである。この沈胴式鏡筒は、撮影時には光学系がカメラボディ内から突出しているが、携帯時にはカメラボディ内に収納される構造である。沈胴式鏡筒を採用して効果的に薄型化できる可能性を有する光学系の例としては、特許文献１乃至３に記載のもの等がある。
【０００４】
【特許文献１】
特開平１１−１９４２７４号公報
【特許文献２】
特開平１１−２８７９５３号公報
【特許文献３】
特開２０００−９９９７号公報
【０００５】
【発明が解決しようとする課題】
これらの特許文献に記載の光学系は、物体側から順に配置された負の屈折力を有する第１群と、正の屈折力を有する第２群とを有していて、共に変倍時には移動するように構成されている。しかし、この構成では、広角端での画角が不十分であり、画角を確保した場合にはレンズ系が大きくなり分厚くなることが問題である。
【０００６】
また、最近では、光学系の光路（光軸）を、ミラーやプリズムなどの反射光学素子で折り曲げる構成を採るものも出現している。この構成のものは、前記沈胴式鏡筒に見られるようなカメラの使用状態への立ち上げ時間（レンズのせり出し時間）がないという利点がある。また、防水・防塵上も好ましい。また、奥行き方向の極めて薄いカメラとすることができる。この構成では、最も物体側のレンズ群を固定して、その中に前記反射光学素子を設けている。そして、それ以降の光路はカメラボディの縦あるいは横方向へ折り曲げて、奥行き方向の寸法を極力薄くしている。この場合、ある程度の画角を確保するために、光路を折り曲げるための反射面よりも物体側に必ず発散面を設けることになる。
【０００７】
その場合、歪曲収差の発生を少なくするために、像側に凹面を向けた負メニスカスレンズを設けることになる。これでは、奥行き方向の厚みを減らす本来の目的に反する結果となる。また、光路を折り曲げる方式において或る程度の画角を確保するためには、プリズムやミラーなどの反射光学素子の光学有効面を小さく抑えることをしなくてはならないが、そうすると結像性能の劣化をまねく。
【０００８】
本発明は、従来技術の有するこのような問題点に鑑みてなされたものであり、その目的とするところは、高ズーム比で明るいＦ値など高い光学仕様性能を有するズムレンズと、奥行きが極めて薄く高画質の写真を得ることができ且つ歪曲が少なく広画角の撮影が可能な電子撮像装置を提供することにある。
【０００９】
【課題を解決するための手段】
上記の目的を達成するため、本発明によるズームレンズは、物体側から光路に沿って順に配置された、正の屈折力を有する第１レンズ群Ｇ１と、負の屈折力を有する移動レンズ群Ｇ２と、広角端から望遠端に変倍する際に単調に物体側に移動するレンズ群Ｇ３とを含み、少なくとも２面の非球面を有している。
本発明によれば、前記第１レンズ群Ｇ１は、物体側から光路に沿って順に配置された、発散性を有する光学素子と正レンズとからなっている。
また、本発明によれば、前記移動レンズ群Ｇ２は、物体側から光路に沿って順に配置された、両凹レンズと正レンズとからなっている。
また、本発明によれば、前記レンズ群Ｇ３は、物体側から光路に沿って順に配置された、正の単レンズと、正レンズと像側に強い凹面を向けた負レンズの接合レンズとからなっている。
【００１０】
【発明の実施の形態】
以下、本発明の実施の形態を図示した実施例に基づき説明する。説明に先立ち、本発明の作用効果について述べる。
奥行きの薄い撮像装置に適した光学系において、結像性能を確保し、さらに広い画角を確保しようとする場合は、次のようにする。一つは、レンズの構成枚数を出来るだけ減らす、他には、出来るだけ光学系の入射側で光路を曲げるようにする。このようにして、光学系の前側レンズ群から変倍をつかさどるレンズ群にかけて、複数の非球面を効果的に用いるようにする。
【００１１】
そこで、非球面の配置としては、（１）前記第１レンズ群Ｇ１に２面以上配置するか、（２）前記レンズ群Ｇ２とＧ３合わせて４面以上配置するか、（３）前記第１レンズ群Ｇ１とレンズ群Ｇ２合わせて４面以上配置するか、（４）前記第１レンズ群Ｇ１と前記レンズ群Ｇ３にそれぞれ２面以上配置するか、（５）前記レンズ群Ｇ２とＧ３にそれぞれ２面以上配置するか、（６）２面以上の非球面を有するレンズ群を３つ配置するかの何れかとするのが良い。
【００１２】
また、前記３つの各レンズ群にそれぞれ２面づつの非球面を導入する場合、第１レンズ群Ｇ１の場合は物体側から発散面，収斂面の順に導入するのがよい。また、レンズ群Ｇ２の場合は負レンズにのみ、レンズ群Ｇ３の場合は正レンズにのみ導入するのが良い。以上の非球面は広角側での歪曲収差、望遠側でのコマ収差、変倍による球面収差、コマ収差の変動の補正には不可欠である。
【００１３】
なお、各レンズ群の構成は最小限とする。前記第１レンズ群Ｇ１は、物体側から光路に沿って順に、発散性を有する光学素子と正レンズの２要素を配置した構成とするのが良い。前記レンズ群Ｇ２は、物体側から光路に沿って順に、両凹レンズと正レンズを配置した構成とするのが良い。前記レンズ群Ｇ３は、物体側から光路に沿って順に、正の単レンズと、正のレンズと像側に強い凹面を向けた負レンズ成分の２群３枚を配置した構成とするのが良い。また、フォーカスのためには、移動可能なレンズ群を前記レンズ群Ｇ３の像側にレンズ群Ｇ４として配置するのが良い。
【００１４】
さらに、前記レンズ群Ｇ２，Ｇ３に関して、その倍率が下記条件（１），（２）を満足するようにすると良い。
−１．０≦β２Ｗ≦−０．４                            （１）
−１．０≦β３Ｗ≦−０．４                            （２）
但し、β２Ｗ，β３Ｗはそれぞれレンズ群Ｇ２，Ｇ３の広角端における倍率である。条件（１）の下限を下回ると、レンズ群Ｇ２の移動による変倍比が小さくなりやすい。また、上限を上回るとレンズ群Ｇ３の移動による変倍比が小さくなりやすい。条件（１）の範囲内の場合には、レンズ群Ｇ３の倍率は条件（２）のようになる。
そして、少なくとも下記条件の何れかを満たすとより良い。
−０．９≦β２Ｗ≦−０．４５                          （１’）
−０．９≦β３Ｗ≦−０．４５                          （２’）
さらに、少なくとも下記条件の何れかを満たすと最も良い。
−０．８≦β２Ｗ≦−０．５                            （１”）
−０．８≦β３Ｗ≦−０．５                            （２”）
【００１５】
前記レンズ群Ｆは変倍時に移動しても良い。ただし、フォーカスアクチュエーターの小型化も考慮して、変倍時の移動も含めた移動範囲が下記条件を満たすようにすると良い。
０．８×１０２＜Ｍ４×Ｓ１＜６．０×１０２                （３）
但し、Ｍ４はフォーカス群Ｇ４があらゆる状態の中で最も物体側に位置する時と最も像側に位置する時の距離差、Ｓ１はフォーカス群Ｆが最も物体側に位置する時に合焦されている被写体から光学系の入射面までの距離（ｍｍ）である。上限を上回ると、フォーカスのためのアクチュエーターが肥大化する。なお、下記条件を満たすとより良い。
１．２×１０２＜Ｍ４×Ｓ１＜５．５×１０２                （３’）
さらに、下記条件を満たすと最良である。
１．６×１０２＜Ｍ４×Ｓ１＜５．０×１０２                （３”）
【００１６】
また、光学系からの光線射出角を適性にするために、光学系の最も像側に別のレンズ群（最終レンズ群）を像面に対して位置をほぼ固定して配置しても良い。さらに、最終レンズ群は単レンズで構成し、下記条件を満たすようにすると良い。
−０．１０＜ｆｗ／ｆＲ＜０．５０                          （４）
但し、ｆＲは最終レンズ群の焦点距離である。下限値を下回るとフォーカス群Ｇ４のパワーが増加し、フォーカスによる収差変動が大きくなる。また、上限値を上回るとフォーカス群Ｆの移動量が増加し、フォーカスアクチュエーターが肥大化しやすい。なお、下記条件を満たすとより良い。
−０．０６＜ｆｗ／ｆＲ＜０．４０                          （４’）
さらに、下記条件を満たすと最良である。
−０．０２＜ｆｗ／ｆＲ＜０．３２                          （４”）
【００１７】
さらに、下記条件をも満たすと良い。
４０＜νＦ                                              （５）
２５＜νＲ＜６０                                                  （６）
但し、νＦ，νＲはそれぞれフォーカス群Ｇ４と最終レンズ群を単レンズで構成したときの媒質のアッベ数である。条件（５）の下限を下回るとフォーカスによる色変動が大きくなる。また、条件（６）の上限を上回ると倍率色収差が補正過剰となり、下限を下回ると倍率色収差が補正不足となりやすい。また、少なくとも下記条件のいずれか一方を満たすとより良い。
４５＜νＦ                                              （５’）
２５＜νＲ＜５０                                                （６’）
さらに、少なくとも下記条件のいずれか一方を満たすと最良である。
５０＜νＦ                                              （５”）
２５＜νＲ＜４０                                                  （６”）
【００１８】
電子撮像装置の奥行きを薄くする方法の１つとして、出来るだけ光学系の入射側で光路を折り曲げるのが良いことは前述の通りである。前記レンズ群Ｇ１は像面に対して位置をほぼ固定されている。このレンズ群Ｇ１の発散性を有する光学素子は、物体側に凹面を向けた入射面と光路を折り曲げるための反射面を有するプリズムとして、最も物体側に配置される。そして、入射面を光軸から離れるに従って発散性が弱まる非球面とするのが良い。さらに、その像側に配置されている正レンズの物体側の面も非球面にするのが良い。因みに、レンズ群Ｇ２に非球面を導入するには、負レンズの片面もしくは両面に導入するのが良い。また、レンズ群Ｇ３に非球面を導入する場合は、正レンズの１面もしくは２面に導入するのが良い。
【００１９】
なお、レンズ群Ｇ１に関して下記条件を満たすと良い。
３３＜ν１２＜７５                                        （７）
１．５５＜ｎ１２                                          （８）
但し、ν１２およびｎ１２はそれぞれレンズ群Ｇ１の正レンズの媒質アッベ数および媒質屈折率である。条件（７）の上限を上回ると倍率色収差が補正不足となり、下限を下回ると倍率色収差が過剰となる。また、条件（８）の下限を下回ると望遠側でコマ収差が発生しやすくなる。また、少なくとも下記条件の何れか一方を満たすとより良い。
３３＜ν１２＜５５                                        （７’）
１．６５＜ｎ１２                                          （８’）
さらに、少なくとも下記条件の何れか一方を満たすと最良である。
３３＜ν１２＜５０                                        （７”）
１．７３＜ｎ１２                                          （８”）
【００２０】
開口絞りについては、前記レンズ群Ｇ２とレンズ群Ｇ３との間に像面に対してほぼ位置が固定であるように配置する。そして、前記開口絞りよりも入射側にはプリズム１要素と３枚以下の単レンズになるように構成するのが良い。このようにすると、入射瞳位置を出来るだけ浅くして光路折り曲げまわりを小型化することができる。また、前記レンズ群Ｇ２と前記レンズ群Ｇ３は、前記開口絞りを挟んで隣接している。このとき、広角端における前記レンズ群Ｇ２の最も像側の面頂から前記絞り開口までの光軸に沿った距離をＤ２、前記絞り開口から前記レンズ群Ｖ３の最も物体側の面頂までの光軸に沿った距離をＤ３としたとき、下記条件を満足すると良い。
０．５０＜Ｄ３／Ｄ２＜１．４０                            （９）
上限を上回ると望遠端のＦ値が暗くなりやすい。一方、下限を下回るとプリズムが肥大化しやすい。
【００２１】
さらに、負の屈折力を有する前記レンズ群Ｇ２では負レンズに、正の屈折力を有するレンズ群Ｇ３では正レンズに、共に非球面を導入するのが良い。これにより、変倍時のレンズ群Ｇ２とＧ３の動きによる収差変動を出来るだけ小さくすることができる。出来れば２面づつ設けるのが好ましい。なお、下記条件を満たすとより良い。
０．６０＜Ｄ３／Ｄ２＜１．３０                            （９’）
さらに、下記条件を満たすと最良である。
０．７０＜Ｄ３／Ｄ２＜１．２０                            （９”）
【００２２】
本発明のズームレンズは、入射面が発散面である関係上、物体側に凹面を向ける形状になる。しかも、そのパワーは強い。そのため、樽型歪曲収差が発生しやすい。しかし、歪曲収差を許容すると、画角の割りに入射光線高が低くなる。よって、プリズムを小さくすることが可能である。そこで、本発明のズームレンズ光学系においては、意図的に樽型歪曲収差を野放し的に発生させている。そして、この状態で、結像光学系を通じて結像された像を、電子撮像素子にて撮像する。但し、得られた画像データをそのまま使わずに加工を行う。具体的には、形状を変化させる画像処理などの機能を用いて、光学系で発生した歪曲収差による画像の歪みを補正して観察できるようにする。特に、カメラなど電子撮像装置から既に補正された形の画像データとして出力するのが理想的である。
【００２３】
なお、その場合、光学系については略無限遠物点合焦時に前記結像光学系の歪曲収差に関して下記条件を満足すると良い。
０．７５＜ｙ０７／（ｆｗ×ｔａｎω０７ｗ）＜０．９６            （１０）
１．０＜ｆｗ／ｙ１０＜２．１                              （１１）
但し、前記電子撮像素子の有効撮像面内（撮像可能な面内）で中心から最も遠い点までの距離（最大像高）をｙ１０とすると、ｙ０７＝０．７ｙ１０、ω０７ｗは広角端における前記撮像面上の中心からｙ０７の位置に結ぶ像点に対応する物点方向の光軸に対応する物点方向の光軸に対する角度である。なお、少なくとも下記条件の何れかを満たすとより良い。
０．８０＜ｙ０７／（ｆｗ×ｔａｎω０７ｗ）＜０．９５            （１０’）
１．１＜ｆｗ／ｙ１０＜２                                  （１１’）
さらに、少なくとも下記条件の何れかを満たすと最良である。
０．８５＜ｙ０７／（ｆｗ×ｔａｎω０７ｗ）＜０．９４            （１０”）
１．２＜ｆｗ／ｙ１０＜１．９                              （１１”）
【００２４】
以下、本発明の実施例について図面を用いて説明する。各実施例に関して、折り曲げ時の光路図は広角端無限遠物点合焦時のみが示されている。
第１実施例
図１は本発明によるズームレンズの第１実施例にかかる光学構成を示す光軸に沿う断面図であり、広角端無限遠物点合焦時の折り曲げ時における状態を示している。図２は第１実施例にかかるズームレンズの無限遠物点合焦時の光学構成を示す光軸に沿う断面図であり、（ａ）は広角端、（ｂ）は中間、（ｃ）は望遠端での状態を示している。図３〜図５は第１実施例にかかるズームレンズの無限遠物点合焦時における球面収差、非点収差、歪曲収差、倍率色収差を示す図であり、図３は広角端、図４は中間、図５は望遠端での状態を示している。図６〜図８は第１実施例にかかるズームレンズの近距離物点合焦時における球面収差、非点収差、歪曲収差、倍率色収差を示す図であり、図６は広角端、図７は中間、図８は望遠端での状態を示している。
【００２５】
図１中、Ｉは電子撮像素子であるＣＣＤの撮像面、ＣＧは平面平板状のＣＣＤカバーガラス、ＬＰＦは光学的ローパスフィルター、ＩＲＣＦは赤外カットフィルターで、物体側から順に、本発明によるズームレンズと、赤外カットフィルターＩＲＣＦと、光学的ローパスフィルターＬＰＦと、カバーガラスＣＧと、撮像面Ｉが配置されている。
そして、第１実施例のズームレンズは、物体側から順に、第１レンズ群Ｇ１と、第２レンズ群Ｇ２と、開口絞りＳと、第３レンズ群Ｇ３と、第４レンズ群Ｇ４とを有している。
第１レンズ群Ｇ１は、物体側から順に、物体側に光路を折り曲げるための反射面ＲＦと物体側に凹面であり光軸から離れるに従って発散性が弱まる非球面を持つ光線入射面ＩＦを有するプリズムＰと、正の屈折力を有する後側副群とで構成されており、全体で正の屈折力を有している。
プリズムＰは、光路を９０°折り曲げる反射プリズムとして構成されている。
後側副群は、正メニスカスレンズＬ１で構成されている。
なお、本発明の各実施例における有効撮像領域の縦横比は３：４であり、折り曲げ方向は横方向である。
第２レンズ群Ｇ２は、物体側から順に配置された、両凹負レンズＬ２１と正メニスカスレンズＬ２２とで構成されており、全体で負の屈折力を有している。
第３レンズ群Ｇ３は、物体側から順に、両凸正レンズＬ３１と、正メニスカスレンズＬ３２と負メニスカスレンズＬ３３との接合レンズで構成されている。
第４レンズ群Ｇ４は、正メニスカスレンズＬ４で構成されている。
【００２６】
無限遠物点合焦時において広角端から望遠端へと変倍する際には、第１レンズ群Ｇ１及び開口絞りＳは位置が固定され、第２レンズ群Ｇ２は像側へのみ移動し、第３レンズ群Ｇ３は物体側へのみ移動するようになっている。
また、合焦動作時には、第４レンズ群Ｇ４が光軸上を移動するようになっている。
非球面は、第１レンズ群Ｇ１中のプリズムＰの光線入射面ＩＦのほかに、第１レンズ群Ｇ１中の正メニスカスレンズＬ１の物体側の面、第２レンズ群Ｇ２中の両凹レンズＬ２１の両側面、及び第３レンズ群Ｇ３中の両凸正レンズＬ３１の両側面に夫々設けられている。
【００２７】
次に、第１実施例のズームレンズを構成する光学部材の数値データを示す。
なお、第１実施例の数値データにおいて、ｒ１，ｒ２，…は各レンズ面の曲率半径、ｄ１，ｄ２，…は各レンズの肉厚または空気間隔、ｎｄ１，ｎｄ２，…は各レンズのｄ線での屈折率、νｄ１，νｄ２，…は各レンズのアッべ数、Ｆｎｏ．はＦナンバー、ｆは全系焦点距離、Ｄ０は物体から第１面までの距離を表している。
なお、非球面形状は、光軸方向をｚ、光軸に直交する方向をｙにとり、円錐係数をＫ、非球面係数をＡ４、Ａ６、Ａ８、Ａ１０としたとき、次の式で表される。
2004264585.tif 000003
なお、これらの記号は後述の実施例の数値データにおいても共通に用いられている。
【００２８】
2004264585.tif 000004
2004264585.tif 000005
【００２９】
2004264585.tif 000006
【００３０】
2004264585.tif 000007
【００３１】
第２実施例
図９は本発明にズームレンズの第２実施例にかかる光学構成を示す光軸に沿う断面図であり、広角端無限遠物点合焦時の折り曲げ時における状態を示している。図１０は第２実施例にかかるズームレンズの無限遠物点合焦時の光学構成を示す光軸に沿う断面図であり、（ａ）は広角端、（ｂ）は中間、（ｃ）は望遠端での状態を示している。
【００３２】
図９中、Ｉは電子撮像素子であるＣＣＤの撮像面、ＣＧは平面平板状のＣＣＤカバーガラス、ＬＰＦは光学的ローパスフィルター、ＩＲＣＦは赤外カットフィルターで、物体側から順に、本発明によるズームレンズと、赤外カットフィルターＩＲＣＦと、光学的ローパスフィルターＬＰＦと、カバーガラスＣＧと、撮像面Ｉが配置されている。
そして、第２実施例のズームレンズは、物体側から順に、第１レンズ群Ｇ１と、第２レンズ群Ｇ２と、開口絞りＳと、第３レンズ群Ｇ３と、第４レンズ群Ｇ４とを有している。
第１レンズ群Ｇ１は、物体側から順に、物体側に光路を折り曲げるための反射面ＲＦと物体側に凹面であり光軸から離れるに従って発散性が弱まる非球面を持つ光線入射面ＩＦを有するプリズムＰと、正の屈折力を有する後側副群とで構成されており、全体で正の屈折力を有している。
プリズムＰは、光路を９０°折り曲げる反射プリズムとして構成されている。
後側副群は、両凸正レンズＬ１で構成されている。
なお、本発明の各実施例における有効撮像領域の縦横比は３：４であり、折り曲げ方向は横方向である。
第２レンズ群Ｇ２は、物体側から順に配置された、両凹負レンズＬ２１と両凸正レンズＬ２２とで構成されており、全体で負の屈折力を有している。
第３レンズ群Ｇ３は、物体側から順に、両凸正レンズＬ３１と、両凸正レンズＬ３２と両凹負レンズＬ３３との接合レンズで構成されている。
第４レンズ群Ｇ４は、正メニスカスレンズＬ４で構成されている。
【００３３】
無限遠物点合焦時において広角端から望遠端へと変倍する際には、第１レンズ群Ｇ１及び開口絞りＳは位置が固定され、第２レンズ群Ｇ２は像側へのみ移動し、第３レンズ群Ｇ３は物体側へのみ移動するようになっている。
また、合焦動作時には、第４レンズ群Ｇ４が光軸上を移動するようになっている。
非球面は、第１レンズ群Ｇ１中のプリズムＰの光線入射面ＩＦのほかに、第１レンズ群Ｇ１中の両凸正レンズＬ１の物体側の面、第２レンズ群Ｇ２中の両凹レンズＬ２１の両側面、及び第３レンズ群Ｇ３中の両凸正レンズＬ３１の両側面に夫々設けられている。
【００３４】
次に、第２実施例のズームレンズを構成する光学部材の数値データを示す。
2004264585.tif 000008
2004264585.tif 000009
【００３５】
2004264585.tif 000010
【００３６】
2004264585.tif 000011
2004264585.tif 000012
【００３７】
第３実施例
図１１は本発明にズームレンズの第３実施例にかかる光学構成を示す光軸に沿う断面図であり、広角端無限遠物点合焦時の折り曲げ時における状態を示している。図１２は第３実施例にかかるズームレンズの無限遠物点合焦時の光学構成を示す光軸に沿う断面図であり、（ａ）は広角端、（ｂ）は中間、（ｃ）は望遠端での状態を示している。図１３〜図１５は第３実施例にかかるズームレンズの無限遠物点合焦時における球面収差、非点収差、歪曲収差、倍率色収差を示す図であり、図１３は広角端、図１４は中間、図１５は望遠端での状態を示している。図１６〜図１８は第３実施例にかかるズームレンズの近距離物点合焦時における球面収差、非点収差、歪曲収差、倍率色収差を示す図であり、図１６は広角端、図１７は中間、図１８は望遠端での状態を示している。
【００３８】
図１１中、Ｉは電子撮像素子であるＣＣＤの撮像面、ＣＧは平面平板状のＣＣＤカバーガラス、ＬＰＦは光学的ローパスフィルターで、物体側から順に、本発明によるズームレンズと、光学的ローパスフィルターＬＰＦと、カバーガラスＣＧと、撮像面Ｉが配置されている。
そして、第３実施例のズームレンズは、物体側から順に、第１レンズ群Ｇ１と、第２レンズ群Ｇ２と、開口絞りＳと、第３レンズ群Ｇ３と、第４レンズ群Ｇ４とを有している。
第１レンズ群Ｇ１は、物体側から順に、物体側に光路を折り曲げるための反射面ＲＦと物体側に凹面であり光軸から離れるに従って発散性が弱まる非球面を持つ光線入射面ＩＦを有するプリズムＰと、負の屈折力を有する後側副群とで構成されており、全体で負の屈折力を有している。
プリズムＰは、光路を９０°折り曲げる反射プリズムとして構成されている。
後側副群は、後側副群は、両凸正レンズＬ１１で構成されている。
第２レンズ群Ｇ２は、物体側から順に、両凹負レンズＬ２１と正メニスカスレンズＬ２２で構成されており、全体で負の屈折力を有している。
第３レンズ群Ｇ３は、物体側から順に、両凸正レンズＬ３１と、正メニスカスレンズＬ３２と負メニスカスレンズＬ３３との接合レンズで構成されている。
第４レンズ群Ｇ４は、両凸正レンズＬ４で構成されている。
【００３９】
無限遠物点合焦時において広角端から望遠端へと変倍する際には、第１レンズ群Ｇ１と開口絞りＳは位置が固定され、第２レンズ群Ｇ２は像側へのみ移動し、第３レンズ群Ｇ３は物体側へのみ移動するようになっている。
また、合焦動作時には、第４レンズ群Ｇ４が光軸上を移動するようになっている。
非球面は、第１レンズ群Ｇ１中のプリズムＰの光線入射面ＩＦのほかに、第１レンズ群Ｇ１中の両凸正レンズＬ１１の物体側の面、第２レンズ群Ｇ２中の両凹負レンズＬ２１の両側面、及び第３レンズ群Ｇ３中の両凸正レンズＬ３１の両側面に夫々設けられている。
【００４０】
次に、第３実施例のズームレンズを構成する光学部材の数値データを示す。
2004264585.tif 000013
2004264585.tif 000014
【００４１】
2004264585.tif 000015
【００４２】
2004264585.tif 000016
【００４３】
第４実施例
図１９は本発明にズームレンズの第４実施例にかかる光学構成を示す光軸に沿う断面図であり、広角端無限遠物点合焦時の折り曲げ時における状態を示している。図２０は第４実施例にかかるズームレンズの無限遠物点合焦時の光学構成を示す光軸に沿う断面図であり、（ａ）は広角端、（ｂ）は中間、（ｃ）は望遠端での状態を示している。図２１〜図２３は第４実施例にかかるズームレンズの無限遠物点合焦時における球面収差、非点収差、歪曲収差、倍率色収差を示す図であり、図２１は広角端、図２２は中間、図２３は望遠端での状態を示している。図２４〜図２６は第４実施例にかかるズームレンズの近距離物点合焦時における球面収差、非点収差、歪曲収差、倍率色収差を示す図であり、図２４は広角端、図２５は中間、図２６は望遠端での状態を示している。
【００４４】
図１９中、Ｉは電子撮像素子であるＣＣＤの撮像面、ＣＧは平面平板状のＣＣＤカバーガラス、ＬＰＦは光学的ローパスフィルターで、物体側から順に、本発明によるズームレンズと、光学的ローパスフィルターＬＰＦと、カバーガラスＣＧと、撮像面Ｉが配置されている。
そして、第４実施例のズームレンズは、物体側から順に、第１レンズ群Ｇ１と、第２レンズ群Ｇ２と、開口絞りＳと、第３レンズ群Ｇ３と、第４レンズ群Ｇ４とを有している。
第１レンズ群Ｇ１は、物体側から順に配置された、像側に光路を折り曲げるための反射面ＲＦと物体側に凹面であり光軸から離れるに従って発散性が弱まる非球面を持つ光線入射面ＩＦを有するプリズムＰと、正の屈折力を有する後側副群とで構成されており、全体で正の屈折力を有している。
プリズムＰは、光路を９０°折り曲げる反射プリズムとして構成されている。
後側副群は、両凸正レンズＬ１で構成されている。
第２レンズ群Ｇ２は、物体側から順に配置された、両凹負レンズＬ２１と両凸正レンズＬ２２とで構成されている。
第３レンズ群Ｇ３は、物体側から順に配置された、両凸正レンズＬ３１と、両凸正レンズＬ３２と両凹負レンズＬ３３との接合レンズで構成されている。
第４レンズ群Ｇ４は、両凸正レンズＬ４で構成されている。
【００４５】
無限遠物点合焦時において広角端から望遠端へと変倍する際には、第１レンズ群Ｇ１と開口絞りＳは位置が固定され、第２レンズ群Ｇ２は像側へのみ移動し、第３レンズ群Ｇ３の接合レンズは物体側へのみ移動するようになっている。
また、合焦動作時に際しては、第４レンズ群Ｇ４が光軸上を移動するようになっている。
非球面は、第１レンズ群Ｇ１中のプリズムＰの光線入射面ＩＦのほかに、第１レンズ群Ｇ１中の両凸正レンズＬ１の物体側の面、第２レンズ群Ｇ２中の両凹負レンズＬ２１の両側面、及び第３レンズ群Ｇ３中の両凸正レンズＬ３１の両側面に夫々設けられている。
【００４６】
次に、第４実施例のズームレンズを構成する光学部材の数値データを示す。
2004264585.tif 000017
2004264585.tif 000018
【００４７】
2004264585.tif 000019
【００４８】
2004264585.tif 000020
【００４９】
実施例５
図２７は本発明によるズームレンズの第５実施例にかかる光学構成を示す光軸に沿う断面図であり、広角端無限遠物点合焦時の折り曲げ時における状態を示している。図２８は第５実施例にかかるズームレンズの無限遠物点合焦時の光学構成を示す光軸に沿う断面図であり、（ａ）は広角端、（ｂ）は中間、（ｃ）は望遠端での状態を示している。図２９〜図３１は第５実施例にかかるズームレンズの無限遠物点合焦時における球面収差、非点収差、歪曲収差、倍率色収差を示す図であり、図２９は広角端、図３０は中間、図３１は望遠端での状態を示している。図３２〜図３４は第５実施例にかかるズームレンズの近距離物点合焦時における球面収差、非点収差、歪曲収差、倍率色収差を示す図であり、図３２は広角端、図３３は中間、図３４は望遠端での状態を示している。
【００５０】
図２７中、Ｉは電子撮像素子であるＣＣＤの撮像面、ＬＰＦは光学的ローパスフィルターで、物体側から順に、本発明によるズームレンズと、光学的ローパスフィルターＬＰＦと、撮像面Ｉが配置されている。
そして、第５実施例のズームレンズは、物体側から順に、第１レンズ群Ｇ１と、第２レンズ群Ｇ２と、開口絞りＳと、第３レンズ群Ｇ３と、第４レンズ群Ｇ４と、第５レンズ群Ｇ５を有している。
第１レンズ群Ｇ１は、物体側から順に、物体側に光路を折り曲げるための反射面ＲＦと物体側に凹面であり光軸から離れるに従って発散性が弱まる非球面を持つ光線入射面ＩＦを有するプリズムＰと、正の屈折力を有する後側副群とで構成されており、全体で正の屈折力を有している。
プリズムＰは、光路を９０°折り曲げる反射プリズムとして構成されている。
後側副群は、両凸正レンズＬ１構成されている。
第２レンズ群Ｇ２は、物体側から順に配置された、両凹負レンズＬ２１と正メニスカスレンズＬ２２で構成されており、全体で負の屈折力を有している。
第３レンズ群Ｇ３は、物体側から順に配置された、両凸正レンズＬ３１と、両凸正レンズＬ３２と両凹負レンズＬ３３の接合レンズで構成されている。
第４レンズ群Ｇ４は、正メニスカスレンズＬ４で構成されている。
第５レンズ群Ｇ５は、物体側に凸面を向けた平凸レンズＬ５で構成されている。
【００５１】
無限遠物点合焦時において広角端から望遠端へと変倍する際には、第１レンズ群Ｇ１及び開口絞りＳは位置が固定され、第２レンズ群Ｇ２は物体側へのみ移動し、第３レンズ群Ｇ３は像側へのみ移動するようになっている。
また、合焦動作時には、第４レンズ群Ｇ４及び第５レンズ群Ｇ５が光軸上を移動するようになっている。
非球面は、第１レンズ群Ｇ１中のプリズムＰの光線入射面ＩＦのほかに、第１レンズ群Ｇ１中の両凸正レンズＬ１の物体側の面、第２レンズ群Ｇ２中の両凹負レンズＬ２１の両側面、第３レンズ群Ｇ３中の両凸正レンズＬ３１の両側面及び第５レンズ群Ｇ５中の平凸レンズＬ５の物体側の面に夫々設けられている。
【００５２】
次に、第５実施例のズームレンズを構成する光学部材の数値データを示す。
2004264585.tif 000021
2004264585.tif 000022
【００５３】
2004264585.tif 000023
【００５４】
2004264585.tif 000024
【００５５】
実施例６
図３５は本発明によるズームレンズの第６実施例にかかる光学構成を示す光軸に沿う断面図であり、広角端無限遠物点合焦時の折り曲げ時における状態を示している。図３６は第６実施例にかかるズームレンズの無限遠物点合焦時の光学構成を示す光軸に沿う断面図であり、（ａ）は広角端、（ｂ）は中間、（ｃ）は望遠端での状態を示している。
【００５６】
図３５中、Ｉは電子撮像素子であるＣＣＤの撮像面、ＬＰＦは光学的ローパスフィルターで、物体側から順に、本発明によるズームレンズと、光学的ローパスフィルターＬＰＦと、撮像面Ｉが配置されている。
そして、第６実施例のズームレンズは、物体側から順に、第１レンズ群Ｇ１と、第２レンズ群Ｇ２と、開口絞りＳと、第３レンズ群Ｇ３と、第４レンズ群Ｇ４と、第５レンズ群Ｇ５を有している。
第１レンズ群Ｇ１は、物体側から順に、物体側に光路を折り曲げるための反射面ＲＦと物体側に凹面であり光軸から離れるに従って発散性が弱まる非球面を持つ光線入射面ＩＦを有するプリズムＰと、正の屈折力を有する後側副群とで構成されており、全体で正の屈折力を有している。
プリズムＰは、光路を９０°折り曲げる反射プリズムとして構成されている。
後側副群は、両凸正レンズＬ１で構成されている。
第２レンズ群Ｇ２は、物体側から順に配置された、両凹負レンズＬ２１と正メニスカスレンズＬ２２で構成されており、全体で負の屈折力を有している。
第３レンズ群Ｇ３は、物体側から順に配置された、両凸正レンズＬ３１と、両凸正レンズＬ３２と両凹負レンズＬ３３の接合レンズで構成されている。
第４レンズ群Ｇ４は、正メニスカスレンズＬ４で構成されている。
第５レンズ群Ｇ５は、物体側に凸面を向けた平凸レンズＬ５で構成されている。
【００５７】
無限遠物点合焦時において広角端から望遠端へと変倍する際には、第１レンズ群Ｇ１及び開口絞りＳは位置が固定され、第２レンズ群Ｇ２は物体側へのみ移動し、第３レンズ群Ｇ３は像側へのみ移動するようになっている。
また、合焦動作時には、第４レンズ群Ｇ４及び第５レンズ群Ｇ５が光軸上を移動するようになっている。
非球面は、第１レンズ群Ｇ１中のプリズムＰの光線入射面ＩＦのほかに、第１レンズ群Ｇ１中の両凸正レンズＬ１の物体側の面、第２レンズ群Ｇ２中の両凹負レンズＬ２１の両側面、第３レンズ群Ｇ３中の両凸正レンズＬ３１の両側面及び第５レンズ群Ｇ５中の平凸レンズＬ５の物体側の面に夫々設けられている。
【００５８】
次に、第６実施例のズームレンズを構成する光学部材の数値データを示す。
2004264585.tif 000025
2004264585.tif 000026
【００５９】
2004264585.tif 000027
【００６０】
2004264585.tif 000028
【００６１】
実施例７
図３７は本発明によるズームレンズの第７実施例にかかる光学構成を示す光軸に沿う断面図であり、広角端無限遠物点合焦時の折り曲げ時における状態を示している。図３８は第７実施例にかかるズームレンズの無限遠物点合焦時の光学構成を示す光軸に沿う断面図であり、（ａ）は広角端、（ｂ）は中間、（ｃ）は望遠端での状態を示している。
【００６２】
図３７中、Ｉは電子撮像素子であるＣＣＤの撮像面、ＬＰＦは光学的ローパスフィルターで、物体側から順に、本発明によるズームレンズと、光学的ローパスフィルターＬＰＦと、撮像面Ｉが配置されている。
そして、第７実施例のズームレンズは、物体側から順に、第１レンズ群Ｇ１と、第２レンズ群Ｇ２と、開口絞りＳと、第３レンズ群Ｇ３と、第４レンズ群Ｇ４と、第５レンズ群Ｇ５を有している。
第１レンズ群Ｇ１は、物体側から順に、物体側に光路を折り曲げるための反射面ＲＦと物体側に凹面であり光軸から離れるに従って発散性が弱まる非球面を持つ光線入射面ＩＦを有するプリズムＰと、正の屈折力を有する後側副群とで構成されており、全体で正の屈折力を有している。
プリズムＰは、光路を９０°折り曲げる反射プリズムとして構成されている。
後側副群は、両凸正レンズＬ１で構成されている。
第２レンズ群Ｇ２は、物体側から順に配置された、両凹負レンズＬ２１と正メニスカスレンズＬ２２で構成されており、全体で負の屈折力を有している。
第３レンズ群Ｇ３は、物体側から順に配置された、両凸正レンズＬ３１と、両凸正レンズＬ３２と両凹負レンズＬ３３の接合レンズで構成されている。
第４レンズ群Ｇ４は、正メニスカスレンズＬ４で構成されている。
第５レンズ群Ｇ５は、物体側に凸面を向けた平凸レンズＬ５で構成されている。
【００６３】
無限遠物点合焦時において広角端から望遠端へと変倍する際には、第１レンズ群Ｇ１及び開口絞りＳは位置が固定され、第２レンズ群Ｇ２は物体側へのみ移動し、第３レンズ群Ｇ３は像側へのみ移動するようになっている。
また、合焦動作時には、第４レンズ群Ｇ４及び第５レンズ群Ｇ５が光軸上を移動するようになっている。
非球面は、第１レンズ群Ｇ１中のプリズムＰの光線入射面ＩＦのほかに、第１レンズ群Ｇ１中の両凸正レンズＬ１の物体側の面、第２レンズ群Ｇ２中の両凹負レンズＬ２１の両側面及び第３レンズ群Ｇ３中の両凸正レンズＬ３１の両側面に夫々設けられている。
【００６４】
次に、第７実施例のズームレンズを構成する光学部材の数値データを示す。
2004264585.tif 000029
2004264585.tif 000030
【００６５】
2004264585.tif 000031
【００６６】
2004264585.tif 000032
【００６７】
実施例８
図３９は本発明によるズームレンズの第８実施例にかかる光学構成を示す光軸に沿う断面図であり、広角端無限遠物点合焦時の折り曲げ時における状態を示している。図４０は第８実施例にかかるズームレンズの無限遠物点合焦時の光学構成を示す光軸に沿う断面図であり、（ａ）は広角端、（ｂ）は中間、（ｃ）は望遠端での状態を示している。
【００６８】
図３９中、Ｉは電子撮像素子であるＣＣＤの撮像面、ＣＧはＣＣＤカバーガラス、ＬＰＦは光学的ローパスフィルターで、物体側から順に、本発明によるズームレンズと、光学的ローパスフィルターＬＰＦと、ＣＣＤカバーガラスＣＧと、撮像面Ｉが配置されている。
そして、第８実施例のズームレンズは、物体側から順に、第１レンズ群Ｇ１と、第２レンズ群Ｇ２と、開口絞りＳと、第３レンズ群Ｇ３と、第４レンズ群Ｇ４と、第５レンズ群Ｇ５を有している。
第１レンズ群Ｇ１は、物体側から順に、物体側に光路を折り曲げるための反射面ＲＦと物体側に凹面であり光軸から離れるに従って発散性が弱まる非球面を持つ光線入射面ＩＦを有するプリズムＰと、正の屈折力を有する後側副群とで構成されており、全体で正の屈折力を有している。
プリズムＰは、光路を９０°折り曲げる反射プリズムとして構成されている。
後側副群は、両凸正レンズＬ１で構成されている。
第２レンズ群Ｇ２は、物体側から順に配置された、両凹負レンズＬ２１と両凸正レンズＬ２２で構成されており、全体で正の屈折力を有している。
第３レンズ群Ｇ３は、物体側から順に配置された、両凸正レンズＬ３１と、両凸正レンズＬ３２と両凹負レンズＬ３３の接合レンズで構成されている。
第４レンズ群Ｇ４は、正メニスカスレンズＬ４で構成されている。
第５レンズ群Ｇ５は、正のメニスカスレンズＬ５で構成されている。
【００６９】
無限遠物点合焦時において広角端から望遠端へと変倍する際には、第１レンズ群Ｇ１及び開口絞りＳは位置が固定され、第２レンズ群Ｇ２は物体側へのみ移動し、第３レンズ群Ｇ３は像側へのみ移動するようになっている。
また、合焦動作時には、第４レンズ群Ｇ４及び第５レンズ群Ｇ５が光軸上を移動するようになっている。
非球面は、第１レンズ群Ｇ１中のプリズムＰの光線入射面ＩＦのほかに、第１レンズ群Ｇ１中の両凸正レンズＬ１の物体側の面、第２レンズ群Ｇ２中の両凹負レンズＬ２１の両側面及び第３レンズ群Ｇ３中の両凸正レンズＬ３１の両側面に夫々設けられている。
【００７０】
次に、第８実施例のズームレンズを構成する光学部材の数値データを示す。
2004264585.tif 000033
2004264585.tif 000034
【００７１】
2004264585.tif 000035
【００７２】
2004264585.tif 000036
【００７３】
実施例９
図４１は本発明によるズームレンズの第９実施例にかかる光学構成を示す光軸に沿う断面図であり、広角端無限遠物点合焦時の折り曲げ時における状態を示している。図４２は第９実施例にかかるズームレンズの無限遠物点合焦時の光学構成を示す光軸に沿う断面図であり、（ａ）は広角端、（ｂ）は中間、（ｃ）は望遠端での状態を示している。
【００７４】
図４１中、Ｉは電子撮像素子であるＣＣＤの撮像面、ＣＧはＣＣＤカバーガラス、ＬＰＦは光学的ローパスフィルターで、物体側から順に、本発明によるズームレンズと、光学的ローパスフィルターＬＰＦと、ＣＣＤカバーガラスＣＧと、撮像面Ｉが配置されている。
そして、第９実施例のズームレンズは、物体側から順に、第１レンズ群Ｇ１と、第２レンズ群Ｇ２と、開口絞りＳと、第３レンズ群Ｇ３と、第４レンズ群Ｇ４と、第５レンズ群Ｇ５を有している。
第１レンズ群Ｇ１は、物体側から順に、物体側に光路を折り曲げるための反射面ＲＦと物体側に凹面であり光軸から離れるに従って発散性が弱まる非球面を持つ光線入射面ＩＦを有するプリズムＰと、正の屈折力を有する後側副群とで構成されており、全体で正の屈折力を有している。
プリズムＰは、光路を９０°折り曲げる反射プリズムとして構成されている。
後側副群は、両凸正レンズＬ１で構成されている。
第２レンズ群Ｇ２は、物体側から順に配置された、両凹負レンズＬ２１と両凸正レンズＬ２２で構成されており、全体で正の屈折力を有している。
第３レンズ群Ｇ３は、物体側から順に配置された、両凸正レンズＬ３１と、両凸正レンズＬ３２と両凹負レンズＬ３３の接合レンズで構成されている。
第４レンズ群Ｇ４は、正メニスカスレンズＬ４で構成されている。
第５レンズ群Ｇ５は、物体側に凸面を向けた平凸レンズＬ５で構成されている。
【００７５】
無限遠物点合焦時において広角端から望遠端へと変倍する際には、第１レンズ群Ｇ１及び開口絞りＳは位置が固定され、第２レンズ群Ｇ２は像側へのみ移動し、第３レンズ群Ｇ３は物体側へのみ移動するようになっている。
また、合焦動作時には、第４レンズ群Ｇ４及び第５レンズ群Ｇ５が光軸上を移動するようになっている。
非球面は、第１レンズ群Ｇ１中のプリズムＰの光線入射面ＩＦのほかに、第１レンズ群Ｇ１中の両凸正レンズＬ１の物体側の面、第２レンズ群Ｇ２中の両凹負レンズＬ２１の両側面及び第３レンズ群Ｇ３中の両凸正レンズＬ３１の両側面に夫々設けられている。
【００７６】
次に、第９実施例のズームレンズを構成する光学部材の数値データを示す。
2004264585.tif 000037
2004264585.tif 000038
【００７７】
2004264585.tif 000039
【００７８】
2004264585.tif 000040
【００７９】
実施例１０
図４３は本発明によるズームレンズの第１０実施例にかかる光学構成を示す光軸に沿う断面図であり、広角端無限遠物点合焦時の折り曲げ時における状態を示している。図４４は第１０実施例にかかるズームレンズの無限遠物点合焦時の光学構成を示す光軸に沿う断面図であり、（ａ）は広角端、（ｂ）は中間、（ｃ）は望遠端での状態を示している。
【００８０】
図４３中、Ｉは電子撮像素子であるＣＣＤの撮像面、ＣＧはＣＣＤカバーガラス、ＬＰＦは光学的ローパスフィルターで、物体側から順に、本発明によるズームレンズと、光学的ローパスフィルターＬＰＦと、ＣＣＤカバーガラスＣＧと、撮像面Ｉが配置されている。
そして、第１０実施例のズームレンズは、物体側から順に、第１レンズ群Ｇ１と、第２レンズ群Ｇ２と、開口絞りＳと、第３レンズ群Ｇ３と、第４レンズ群Ｇ４と、第５レンズ群Ｇ５を有している。
第１レンズ群Ｇ１は、物体側から順に、物体側に光路を折り曲げるための反射面ＲＦと物体側に凹面であり光軸から離れるに従って発散性が弱まる非球面を持つ光線入射面ＩＦを有するプリズムＰと、正の屈折力を有する後側副群とで構成されており、全体で正の屈折力を有している。
プリズムＰは、光路を９０°折り曲げる反射プリズムとして構成されている。
後側副群は、両凸正レンズＬ１で構成されている。
第２レンズ群Ｇ２は、物体側から順に配置された、両凹負レンズＬ２１と両凸正レンズＬ２２で構成されており、全体で正の屈折力を有している。
第３レンズ群Ｇ３は、物体側から順に配置された、両凸正レンズＬ３１と、両凸正レンズＬ３２と両凹負レンズＬ３３の接合レンズで構成されている。
第４レンズ群Ｇ４は、正メニスカスレンズＬ４で構成されている。
第５レンズ群Ｇ５は、物体側に凸面を向けた平凸レンズＬ５で構成されている。
【００８１】
無限遠物点合焦時において広角端から望遠端へと変倍する際には、第１レンズ群Ｇ１及び開口絞りＳは位置が固定され、第２レンズ群Ｇ２は像側へのみ移動し、第３レンズ群Ｇ３は物体側へのみ移動するようになっている。
また、合焦動作時には、第４レンズ群Ｇ４及び第５レンズ群Ｇ５が光軸上を移動するようになっている。
非球面は、第１レンズ群Ｇ１中のプリズムＰの光線入射面ＩＦのほかに、第１レンズ群Ｇ１中の両凸正レンズＬ１の物体側の面、第２レンズ群Ｇ２中の両凹負レンズＬ２１の両側面及び第３レンズ群Ｇ３中の両凸正レンズＬ３１の両側面に夫々設けられている。
【００８２】
次に、第１０実施例のズームレンズを構成する光学部材の数値データを示す。
2004264585.tif 000041
2004264585.tif 000042
【００８３】
2004264585.tif 000043
【００８４】
2004264585.tif 000044
【００８５】
なお、本発明の各実施例では、いずれも、折り曲げ方向を上述のように電子撮像素子（ＣＣＤ）の長辺方向（水平方向）としている。短辺方向（垂直方向）へ折り曲がるようにした方が、折り曲げのためのスペースが少なくて済み小型化には有利であるが、長辺方向への折り曲げに対応できるようにしておけば、長辺、短辺のいずれへの折り曲げにも対応でき、レンズを組み込むカメラデザインの自由度が増して好ましい。
【００８６】
次に、上記各実施例における条件式のパラメータ等の値を表示する。なお、下表中の実施例１〜２のＳ１＝１９５．０３５４６（ｍｍ）、実施例３〜１０のＳ１＝１７７．３０４９６（ｍｍ）である。
【表１】
2004264585.tif 000045
上記表中、有効画角は歪曲デジタル補正後のものが記載されている。補正を実施したのは、実施例４と７〜１０である。基本的に像高が短辺を半径と一致するところの画角を変えずにその他の像高の画角が変化している。
【００８７】
以上説明したように、本発明のズームレンズは、特許請求の範囲に記載した特徴のほかに下記のような特徴も有している。
（１）前記レンズ群Ｇ１は２面の非球面を有する請求項１に記載のズームレンズ。
【００８８】
（２）前記レンズ群Ｇ２とＧ３で合わせて４面の非球面を有する請求項１に記載のズームレンズ。
【００８９】
（３）前記レンズ群Ｇ１とＧ２で合わせて４面の非球面を有する請求項１に記載のズームレンズ。
【００９０】
（４）前記レンズ群Ｇ１とＧ２がそれぞれ２面の非球面を有する請求項１に記載のズームレンズ。
【００９１】
（５）前記レンズ群Ｇ２とＧ３がそれぞれ２面の非球面を有する請求項１に記載のズームレンズ。
【００９２】
（６）２面の非球面を有するレンズ群を３つ有する請求項１に記載のズームレンズ。
【００９３】
（７）前記第１レンズ群Ｇ１は、物体側から光路に沿って順に配置された、発散性を有する光学素子と正レンズの２要素からなる上記（１）乃至６の何れかに記載のズームレンズ。
【００９４】
（８）前記レンズ群Ｇ２は、物体側から光路に沿って順に配置された、両凹レンズと正レンズの２枚より構成されている上記（１）乃至（６）の何れかに記載のズームレンズ。
【００９５】
（９）前記レンズ群Ｇ３は、物体側から光路に沿って順に配置された、正の単レンズと、正レンズと像側に強い凹面を向けた負レンズの接合レンズとから構成されている上記（１）乃至（６）の何れかに記載のズームレンズ。
【００９６】
（１０）前記レンズ群Ｇ３の像側に、フォーカスのために移動可能であるレンズ群Ｆを有する請求項１または上記（１）乃至（６）の何れかに記載のズームレンズ。
【００９７】
（１１）最も像面に近いレンズ群が像面に対して位置がほぼ固定されている請求項１または上記（１）乃至（６）の何れかに記載のズームレンズ。
（１２）請求範囲２乃至４及び上記（７）乃至（１１）に記載の要件の何れか２つ以上を満足するズームレンズ。
【００９８】
（１３）  前記レンズ群Ｇ１は像面に対して位置がほぼ固定であり、前記レンズ群Ｇ１の発散性を有する光学素子は最も物体側に物体側に凹面を向けた光軸から離れるに従って発散性が弱まる入射面と光路を折り曲げるための反射面を有するプリズムである請求範囲２または上記７に記載のズームレンズ。
【００９９】
（１４）前記レンズ群Ｇ２とレンズ群Ｇ３との間に像面に対して略位置が固定である開口絞りを有し、前記開口絞りよりも光線入射側に１個のプリズムと３枚以下の単レンズが配置されている請求項（１）または上記（１）乃至（６）の何れかに記載のズームレンズ。
【０１００】
（１５）前記レンズ群Ｇ２と前記レンズ群Ｇ３は前記開口絞りを挟んで隣接しており、広角端における前記レンズ群Ｇ２の最も像側の面頂から前記絞り開口までの光軸に沿った距離をＤ２、前記絞り開口から前記レンズ群Ｇ３の最も物体側の面頂までの光軸に沿った距離をＤ３としたとき、下記条件を満足する上記（１４）に記載のズームレンズ。
０．５０＜Ｄ３／Ｄ２＜１．４０
【０１０１】
（１６）請求項１乃至４及び上記１乃至１５の何れかに記載の結像光学系と電子撮像素子とを有し、前記結像光学系を通じて結像された像を前記電子撮像素子で撮像して得られた画像データを加工して形状を変化させた画像データとして出力することが可能な電子撮像装置において、ほぼ無限遠物点合焦時に前記結像光学系の歪曲収差に関して下記条件を満足する電子撮像装置。
０．７５＜ｙ０７  ／（ｆｗ・  ｔａｎ  ω０７ｗ  ）＜０．９６
１＜ｆｗ／ｙ１０  ＜２．１
但し、前記電子撮像素子の有効撮像面内（撮像可能な面内）で中心から最も遠い点までの距離（最大像高）をｙ１０  とすると、ｙ０７  ＝０．７ｙ１０であり、ω０７ｗは広角端における前記撮像面上の中心からｙ０７  の位置に結ぶ像点に対応する物点方向の光軸に対する角度である。
【０１０２】
【発明の効果】
上述の如く本発明によれば、物体側にプリズムなどの反射光学素子を配置して光学系特にズームレンズ系の光路（光軸）を折り曲げ、且つ非球面を活用して前記プリズムの光線入射面を凹面とすることにより、ズーム比，画角，Ｆ値，少ない収差など、高い光学仕様性能を確保しながらも沈胴式鏡筒に見られるようなカメラの使用状態への立ち上げ時間（レンズのせり出し時間）がなく、防水・防塵上も好ましく、また、奥行き方向が極めて薄いカメラを提供することが可能となる。さらに、絞りやシャッター機構などを移動させない光学構成とすることにより、奥行きをさらに薄くすることができる。
【図面の簡単な説明】
【図１】本発明によるズームレンズの第１実施例の光学構成を示す光軸に沿う断面図であり、広角端無限遠物点合焦時の折り曲げ時における状態を示している。
【図２】第１実施例のズームレンズの無限遠物点合焦時の光学構成を示す光軸に沿う断面図であり、（ａ）は広角端、（ｂ）は中間、（ｃ）は望遠端での状態を示している。
【図３】第１実施例のズームレンズの無限遠物点合焦時における球面収差、非点収差、歪曲収差、倍率色収差を示す図であり、広角端での状態を示している。
【図４】第１実施例のズームレンズの無限遠物点合焦時における球面収差、非点収差、歪曲収差、倍率色収差を示す図であり、中間での状態を示している。
【図５】第１実施例のズームレンズの無限遠物点合焦時における球面収差、非点収差、歪曲収差、倍率色収差を示す図であり、望遠端での状態を示している。
【図６】第１実施例のズームレンズの近距離物点合焦時における球面収差、非点収差、歪曲収差、倍率色収差を示す図であり、広角端での状態を示している。
【図７】第１実施例のズームレンズの近距離物点合焦時における球面収差、非点収差、歪曲収差、倍率色収差を示す図であり、中間での状態を示している。
【図８】第１実施例のズームレンズの近距離物点合焦時における球面収差、非点収差、歪曲収差、倍率色収差を示す図であり、望遠端での状態を示している。
【図９】本発明によるズームレンズの第２実施例の光学構成を示す光軸に沿う断面図であり、広角端無限遠物点合焦時の折り曲げ時における状態を示している。
【図１０】第２実施例のズームレンズの無限遠物点合焦時の光学構成を示す光軸に沿う断面図であり、（ａ）は広角端、（ｂ）は中間、（ｃ）は望遠端での状態を示している。
【図１１】本発明によるズームレンズの第３実施例の光学構成を示す光軸に沿う断面図であり、広角端無限遠物点合焦時の折り曲げ時における状態を示している。
【図１２】第３実施例のズームレンズの無限遠物点合焦時の光学構成を示す光軸に沿う断面図であり、（ａ）は広角端、（ｂ）は中間、（ｃ）は望遠端での状態を示している。
【図１３】第３実施例のズームレンズの無限遠物点合焦時における球面収差、非点収差、歪曲収差、倍率色収差を示す図であり、広角端での状態を示している。
【図１４】第３実施例のズームレンズの無限遠物点合焦時における球面収差、非点収差、歪曲収差、倍率色収差を示す図であり、中間での状態を示している。
【図１５】第３実施例のズームレンズの無限遠物点合焦時における球面収差、非点収差、歪曲収差、倍率色収差を示す図であり、望遠端での状態を示している。
【図１６】第３実施例のズームレンズの近距離物点合焦時における球面収差、非点収差、歪曲収差、倍率色収差を示す図であり、広角端での状態を示している。
【図１７】第３実施例のズームレンズの近距離物点合焦時における球面収差、非点収差、歪曲収差、倍率色収差を示す図であり、中間での状態を示している。
【図１８】第３実施例のズームレンズの近距離物点合焦時における球面収差、非点収差、歪曲収差、倍率色収差を示す図であり、望遠端での状態を示している。
【図１９】本発明によるズームレンズの第４実施例の光学構成を示す光軸に沿う断面図であり、広角端無限遠物点合焦時の折り曲げ時における状態を示している。
【図２０】第４実施例のズームレンズの無限遠物点合焦時の光学構成を示す光軸に沿う断面図であり、（ａ）は広角端、（ｂ）は中間、（ｃ）は望遠端での状態を示している。
【図２１】第４実施例のズームレンズの無限遠物点合焦時における球面収差、非点収差、歪曲収差、倍率色収差を示す図であり、広角端での状態を示している。
【図２２】第４実施例のズームレンズの無限遠物点合焦時における球面収差、非点収差、歪曲収差、倍率色収差を示す図であり、中間での状態を示している。
【図２３】第４実施例のズームレンズの無限遠物点合焦時における球面収差、非点収差、歪曲収差、倍率色収差を示す図であり、望遠端での状態を示している。
【図２４】第４実施例のズームレンズの近距離物点合焦時における球面収差、非点収差、歪曲収差、倍率色収差を示す図であり、広角端での状態を示している。
【図２５】第４実施例のズームレンズの近距離物点合焦時における球面収差、非点収差、歪曲収差、倍率色収差を示す図であり、中間での状態を示している。
【図２６】第４実施例のズームレンズの近距離物点合焦時における球面収差、非点収差、歪曲収差、倍率色収差を示す図であり、望遠端での状態を示している。
【図２７】本発明によるズームレンズの第５実施例の光学構成を示す光軸に沿う断面図であり、広角端無限遠物点合焦時の折り曲げ時における状態を示している。
【図２８】第５実施例のズームレンズの無限遠物点合焦時の光学構成を示す光軸に沿う断面図であり、（ａ）は広角端、（ｂ）は中間、（ｃ）は望遠端での状態を示している。
【図２９】第５実施例のズームレンズの無限遠物点合焦時における球面収差、非点収差、歪曲収差、倍率色収差を示す図であり、広角端での状態を示している。
【図３０】第５実施例のズームレンズの無限遠物点合焦時における球面収差、非点収差、歪曲収差、倍率色収差を示す図であり、中間での状態を示している。
【図３１】第５実施例のズームレンズの無限遠物点合焦時における球面収差、非点収差、歪曲収差、倍率色収差を示す図であり、望遠端での状態を示している。
【図３２】第５実施例のズームレンズの近距離物点合焦時における球面収差、非点収差、歪曲収差、倍率色収差を示す図であり、広角端での状態を示している。
【図３３】第５実施例のズームレンズの近距離物点合焦時における球面収差、非点収差、歪曲収差、倍率色収差を示す図であり、中間での状態を示している。
【図３４】第５実施例のズームレンズの近距離物点合焦時における球面収差、非点収差、歪曲収差、倍率色収差を示す図であり、望遠端での状態を示している。
【図３５】本発明によるズームレンズの第６実施例の光学構成を示す光軸に沿う断面図であり、広角端無限遠物点合焦時の折り曲げ時における状態を示している。
【図３６】第６実施例のズームレンズの無限遠物点合焦時の光学構成を示す光軸に沿う断面図であり、（ａ）は広角端、（ｂ）は中間、（ｃ）は望遠端での状態を示している。
【図３７】本発明によるズームレンズの第７実施例の光学構成を示す光軸に沿う断面図であり、広角端無限遠物点合焦時の折り曲げ時における状態を示している。
【図３８】第７実施例のズームレンズの無限遠物点合焦時の光学構成を示す光軸に沿う断面図であり、（ａ）は広角端、（ｂ）は中間、（ｃ）は望遠端での状態を示している。
【図３９】本発明によるズームレンズの第８実施例の光学構成を示す光軸に沿う断面図であり、広角端無限遠物点合焦時の折り曲げ時における状態を示している。
【図４０】第８実施例のズームレンズの無限遠物点合焦時の光学構成を示す光軸に沿う断面図であり、（ａ）は広角端、（ｂ）は中間、（ｃ）は望遠端での状態を示している。
【図４１】本発明によるズームレンズの第９実施例の光学構成を示す光軸に沿う断面図であり、広角端無限遠物点合焦時の折り曲げ時における状態を示している。
【図４２】第９実施例のズームレンズの無限遠物点合焦時の光学構成を示す光軸に沿う断面図であり、（ａ）は広角端、（ｂ）は中間、（ｃ）は望遠端での状態を示している。
【図４３】本発明によるズームレンズの第１０実施例の光学構成を示す光軸に沿う断面図であり、広角端無限遠物点合焦時の折り曲げ時における状態を示している。
【図４４】第１０実施例のズームレンズの無限遠物点合焦時の光学構成を示す光軸に沿う断面図であり、（ａ）は広角端、（ｂ）は中間、（ｃ）は望遠端での状態を示している。
【符号の説明】
Ｇ１                                      第１レンズ群
Ｇ２                                      第２レンズ群
Ｇ３                                      第３レンズ群
Ｇ４                                      第４レンズ群
Ｌ１１〜Ｌ４３                                          レンズ
Ｐ                                        プリズム
ＲＦ                                      反射面
ＩＦ                                      光線入射面
ＬＰＦ                                    光学的ローパスフィルター
ＣＧ                                      カバーガラス
Ｉ                                        撮像面
【図１】
2004264585.tif 000046
【図２】
2004264585.tif 000047
【図３】
2004264585.tif 000048
【図４】
2004264585.tif 000049
【図５】
2004264585.tif 000050
【図６】
2004264585.tif 000051
【図７】
2004264585.tif 000052
【図８】
2004264585.tif 000053
【図９】
2004264585.tif 000054
【図１０】
2004264585.tif 000055
【図１１】
2004264585.tif 000056
【図１２】
2004264585.tif 000057
【図１３】
2004264585.tif 000058
【図１４】
2004264585.tif 000059
【図１５】
2004264585.tif 000060
【図１６】
2004264585.tif 000061
【図１７】
2004264585.tif 000062
【図１８】
2004264585.tif 000063
【図１９】
2004264585.tif 000064
【図２０】
2004264585.tif 000065
【図２１】
2004264585.tif 000066
【図２２】
2004264585.tif 000067
【図２３】
2004264585.tif 000068
【図２４】
2004264585.tif 000069
【図２５】
2004264585.tif 000070
【図２６】
2004264585.tif 000071
【図２７】
2004264585.tif 000072
【図２８】
2004264585.tif 000073
【図２９】
2004264585.tif 000074
【図３０】
2004264585.tif 000075
【図３１】
2004264585.tif 000076
【図３２】
2004264585.tif 000077
【図３３】
2004264585.tif 000078
【図３４】
2004264585.tif 000079
【図３５】
2004264585.tif 000080
【図３６】
2004264585.tif 000081
【図３７】
2004264585.tif 000082
【図３８】
2004264585.tif 000083
【図３９】
2004264585.tif 000084
【図４０】
2004264585.tif 000085
【図４１】
2004264585.tif 000086
【図４２】
2004264585.tif 000087
【図４３】
2004264585.tif 000088
【図４４】
2004264585.tif 000089